(57)【要約】【課題】半透明の照明面の下に直接蛍光灯を配置して大面積の面状光源を作成していたが、厚味が厚く、明るさのムラが大であった。また、横から照明光を入れる複数の導光板を配置して、その間に見切り板すなわち光遮蔽板を配置し、見切り板の下に照明用光源としての蛍光灯を配置してケースに入れたものを多数並べて大面積化した面状光源があるが、見切り板の影響などによる輝度ムラが大であった。【解決手段】比較的表面積の大きい第１の導光板と、第１の導光板に重なるように配置した比較的表面積の小さい複数の第２の導光板と第２の導光板に光を入射させる照射用光源とを配置し、第１の導光板の照射用光源が配置されている近傍に、照射用光源から第１の導光板に入射する光の量を抑制する手段としての光透過率抑制部を設け、輝度ムラをなくし、任意の大面積の面状光源を実現した。【選択図】  図２
2004152720.tif 000002
【特許請求の範囲】
【請求項１】
比較的表面積の大きい第１の導光板と、前記第１の導光板に重なるように配置した比較的表面積の小さい複数の第２の導光板ならびに少なくとも前記第２の導光板に光を入射させることができる照射用光源とを有しており、前記第１の導光板の前記照射用光源が配置されている近傍に、前記照射用光源から前記第１の導光板に入射する光の量を抑制する手段としての光透過率抑制部が設けられていることを特徴とする面状光源。
【請求項２】
請求項１に記載の面状光源において、前記光透過率抑制部が前記第１の導光板の一部に形成されていることを特徴とする面状光源。
【請求項３】
請求項１または２に記載の面状光源において、前記光透過率抑制部が前記第１の導光板の前記照明用光源に対向する表面の一部を改質したものと前記表面に付着させた物質のいずれか一方または双方によって構成されていることを特徴とする面状光源。
【請求項４】
請求項１〜３のいずれか１項に記載の面状光源において、前記光透過率抑制部が前記第１の導光板と前記照明用光源の間に配置された前記第１の導光板とは別の光透過率抑制板に形成されていることを特徴とする面状光源。
【請求項５】
請求項１〜４のいずれか１項に記載の面状光源において、前記光透過率抑制部が前記照明用光源に形成されていることを特徴とする面状光源。
【請求項６】
請求項１〜５のいずれか１項に記載の面状光源において、前記光透過率抑制部が前記第２の導光板に形成されていることを特徴とする面状光源。
【請求項７】
請求項１〜６のいずれか１項に記載の面状光源において、複数個の前記第２の導光板が前記第１の導光板の一方の側に配置され、前記照明用光源が前記１つの第２の導光板と他の第２の導光板の間に配置されていることを特徴とする面状光源。
【請求項８】
請求項１〜７のいずれか１項に記載の面状光源において、少なくとも１つの前記第２の導光板の前記照明用光源からの光を入射させる端面が傾斜面になっていることを特徴とする面状光源。
【請求項９】
請求項７または８に記載の面状光源において、前記照明用光源の両側に配置されている２つの前記第２の導光板の間隔が、前記第１の導光板に近い側で狭く前記第１の導光板から遠い側で広くなっていることを特徴とする面状光源。
【請求項１０】
請求項１〜９のいずれか１項に記載の面状光源において、少なくとも１つの前記照明用光源が前記第２の導光板と前記第１の導光板の少なくとも一方または双方に形成された開口部に配置されていることを特徴とする面状光源。
【請求項１１】
請求項１０に記載の面状光源において、少なくとも１つの前記照明用光源が配置されている導光板の開口部に光透過率抑制部が配置されていることを特徴とする面状光源。
【請求項１２】
請求項１０または１１に記載の面状光源において、前記開口部の断面形状の少なくとも一部が菱形の一部を切断した形状であることを特徴とする面状光源。
【請求項１３】
請求項１０〜１２のいずれか１項に記載の面状光源において、前記開口部の少なくとも一部の光入射面がその形成されている導光板の表面となす角が４５度であることを特徴とする面状光源。
【請求項１４】
請求項１０または１１に記載の面状光源において、前記開口部の前記照明用光源を含む断面の開口部輪郭形状が円形または楕円形の一部であることを特徴とする面状光源。
【請求項１５】
請求項１０〜１２のいずれか１項に記載の面状光源において、前記第１の導光板に光拡散板を重ねて配置したことを特徴とする面状光源。
【発明の詳細な説明】
【０００１】
【発明の属する技術分野】
本発明は高輝度薄型面状光源に関し、さらに具体的には、輝度が高く、優れた輝度均一性を有し、薄型で、大面積化が容易な面状光源に関する。
【０００２】
【従来の技術】
面全体を明るくしてその面の全方を照らす面状光源は、小さいものは腕時計や携帯電話の表示装置のバックライトから、パーソナルコンピュータの液晶表示板用のバックライトや、屋外照明や屋外表示装置のバックライトなど、そのニーズは多く、さらに大型化の試みもなされている。
【０００３】
図１１〜図１４は従来の面状光源を説明する図である。
【０００４】
図１１は従来の面状光源の一例を説明する斜視図で、符号１０１は面状光源、１０２は照明面、１０３はケース、１０７と１０８は矢印である。
【０００５】
図１２は図１１の面状光源１０１のＡ２−Ｂ２の部分の断面図であり、照明面１０２とケース１０３で囲まれた空間に照明用光源として複数本の管状蛍光灯１０４を配置し、照明面１０２として乳白色の半透明の乳半板を配置してある。
【０００６】
図１２においては、照明面１０２の下に直線管状の蛍光灯１０４を４本配置してある。ケース１０３の下板１０５は、内側が光が乱反射する反射板になっており、点灯された蛍光灯１０４から発した光は、蛍光灯１０４から直接照明面１０２の方に進む光と下板１０５に反射されて照明面１０２に進む光の双方が半透明の乳半板である照明面１０２から矢印１０７の方向に出射して照明光となる。
【０００７】
図１２の例においては、照明面１０２から矢印１０７の方向に光が出射している状態を矢印１０８の方向から見たときに、蛍光灯１０４の形の明るい像が照明面１０２を通して見えてしまうため、照明面１０２と蛍光灯１０４の間隔をある程度大きくとって蛍光灯１０４の形の明るい像を目立たなくするように工夫している。
【０００８】
そのため、この例のような面状光源はケースの厚みが厚くなってしまうという大きな欠点を有しているとともに、照明面１０２を見たときの蛍光灯１０４の姿形を視認できないまでにするのは難しく、輝度が高く、面全体が均一な輝度の照明を得ることができない。
【０００９】
図１３は、この欠点を解決する１つの方法といえる従来の例で、導光板を用いた面状光源１１０を説明する断面図である。図１３において、符号１１１は導光板、１１２は導光板１１１の両側に配置された直線管状の蛍光灯、１１３はケース、１１４は導光板１１１が載置されているケース１１３の下板、１１６〜１１８は矢印である。
【００１０】
図１３で、点灯された蛍光灯１１２から発する光のうち、矢印１１６の方向に進行した光は導光板１１１の内部へと進み、導光板１１１内で散乱を受け矢印１１７の方向へ出射して照明光となる。
【００１１】
図１３の場合、導光板１１１が照明面となる。この場合、矢印１１８の方向から見たときの輝度ムラは目立たず、光源の厚みは薄くなるが、図１３においてケースの見切りから出ている照明面の幅を大きくすると照明の輝度を大きくすることができず、図１２に示したいわゆる直下型の面状光源に比べて暗く、用途は限られたものとなる。
【００１２】
面状光源として、厚みが薄く、照明面の面積が大きな高輝度面状光源の実現が強く望まれている。
【００１３】
図１４はこのような課題を解決しようと試みられた従来の面状光源を説明する斜視図である。図１４において、符号１２１は図１３を用いて説明した導光板を用いた面状光源と同様の面状光源１２２ａ〜１２２ｄの４つを図示のように配置して構成した面状光源であり、１２３はケース、１２５〜１２８は４つの面状光源１２２ａ〜１２２ｄを接続している接続部分である。
【００１４】
この接続部分１２５〜１２８の存在は、蛍光灯からの直接光を遮断するが、照明面全体としては輝度ムラとなって照明の質を低下させてしまう。この接続部分１２５〜１２８をできるだけ細いものにすべく工夫しても、良質の面状光源を得ることは困難である。
【００１５】
以上説明した従来の欠点は、図１１〜図１４の如き従来の面状光源において、蛍光灯の代わりに冷陰極菅を用いても同様である。
【００１６】
【発明が解決しようとする課題】
以上説明したように、高輝度で輝度ムラの少ない広い照明面積の照明面を有する薄型面状光源を安価に実現することが強く望まれており、従来、そのための各種試みがなされたが、実現することができなかった。
【００１７】
本発明はこのような点に鑑みてなされたもので、薄型で、輝度が高く、照明面内における輝度ムラが少なく、大面積の照明面を容易に実現することができ、照明面の設計自由度が高い面状光源を安価に提供せんとするも
のである。
【００１８】
【課題を解決するための手段】
本発明の目的を達成するため、本発明の面状光源は、比較的表面積の大きい第１の導光板と、前記第１の導光板に重なるように配置した比較的表面積の小さい複数の第２の導光板ならびに少なくとも前記第２の導光板に光を入射させる照射用光源とを有しており、前記第１の導光板の前記照射用光源が配置されている近傍に、前記照射用光源から前記第１の導光板に入射する光の量を抑制する手段としての光透過率抑制部が設けられていることを特徴としている。そして、本発明の面状光源は種々の形態をとることができるものである。
【００１９】
本発明の面状光源の例は、前記光透過率抑制部が前記第１の導光板の一部に形成されていることを特徴としている。
【００２０】
本発明の面状光源の例は、前記光透過率抑制部が前記第１の導光板の前記照明用光源に対向する表面の一部を改質したものと前記表面に付着させた物質のいずれか一方または双方によって構成されていることを特徴としている。
【００２１】
本発明の面状光源の例は、前記光透過率抑制部が前記第１の導光板と前記照明用光源の間に配置された前記第１の導光板とは別の光透過率抑制板に形成されていることを特徴としている。
【００２２】
本発明の面状光源の例は、前記光透過率抑制部が前記照明用光源に形成されていることを特徴としている。
【００２３】
本発明の面状光源の例は、前記光透過率抑制部が前記第２の導光板に形成されていることを特徴としている。
【００２４】
本発明の面状光源の例は、複数個の前記第２の導光板が前記第１の導光板の一方の側に配置され、前記照明用光源が前記１つの第２の導光板と他の第２の導光板の間に配置されていることを特徴としている。
【００２５】
本発明の面状光源の例は、少なくとも１つの前記第２の導光板の前記照明用光源からの光を入射させる端面が傾斜面になっていることを特徴としている。
【００２６】
本発明の面状光源の例は、前記照明用光源の両側に配置されている２つの前記第２の導光板の間隔が、前記第１の導光板に近い側で狭く前記第１の導光板から遠い側で広くなっていることを特徴としている。
【００２７】
本発明の面状光源の例は、少なくとも１つの前記照明用光源が前記第２の導光板と前記第１の導光板の少なくとも一方または双方に形成された開口部に配置されていることを特徴としている。
【００２８】
本発明の面状光源の例は、少なくとも１つの前記照明用光源が配置されている導光板の開口部に光透過率抑制部が配置されていることを特徴としている。
【００２９】
本発明の面状光源の例は、前記開口部の断面形状の少なくとも一部が菱形の一部を切断した形状であることを特徴としている。
【００３０】
本発明の面状光源の例は、前記開口部の少なくとも一部の光入射面がその形成されている導光板の表面となす角が４５度であることを特徴としている。
【００３１】
本発明の面状光源の例は、前記開口部の前記照明用光源を含む断面の開口部輪郭の形状が円形または楕円形の一部であることを特徴としている。
【００３２】
本発明の面状光源の例は、前記第１の導光板に光拡散板を重ねて配置したことを特徴としている。
【００３３】
【発明の実施の形態】
以下、図面を参照して本発明の実施の形態について説明する。なお、説明に用いる各図は本発明を理解できる程度に各構成成分の寸法、形状、配置関係などを概略的に示してある。そして本発明の説明の都合上、部分的に拡大率を変えて図示する場合もあり、本発明の説明に用いる図は、必ずしも実施例などの実物や記述と相
似形でない場合もある。また、各図において、同様な構成成分については同一の番号を付けて示し、重複する説明を省略することもある。
【００３４】
図１は本発明の実施の形態における面状光源の例を説明する斜視図である。図１で、符号１は本発明による面状光源で、２は照明面としての上部導光板、３はケース、９，１０は矢印である。
【００３５】
図２は図１のＡ１−Ｂ１で示した部分の断面図で、面状光源１の構造を説明する図である。図２で、符号４は直線管状の蛍光灯、５と６は上部導光板２の下側に配置された下部導光板で、図の左右方向の寸法を導光板の幅寸法として、導光板５は面状光源１の両側端部近傍に配置される比較的幅の狭い導光板、導光板６は導光板５より幅の広い導光板である。図２の実施の形態においては、導光板５の幅は導光板６の幅のほぼ半分の寸法になっている。
【００３６】
符号３０は上部導光板２の下面の蛍光灯４を配置する位置の近傍に設けられた光透過率抑制部、１０ａ、１０ｂは矢印である。図３は図２の下部導光板６に蛍光灯４からの光が入射して出射する様子を説明する断面図である。図３で符号８ａ〜８ｈは蛍光灯４ａ、４ｂから出射した光の進行方向を示す矢印である。
【００３７】
図３において、蛍光灯４ａ、４ｂからその周囲全方向に光が発せられる。蛍光灯４ａ、４ｂからは、矢印８ａ、８ｂ、８ｅ、８ｆで示すような上方への光と、矢印８ｃ、８ｇで示すような導光板６に入射し、導光板６内で反射されてそれぞれ矢印８ｄ、８ｈの方向に出射する光が、図３には図示していないが、図２のように蛍光灯４ａ、４ｂと導光板６の上方に配置されている導光板２に入射し、上方すなわち図２の矢印９の方向へ出射する。
【００３８】
図３から容易にわかることであるが、図３の上方から下方を見ると、蛍光灯４ａ、４ｂからの直接光が来る符号ＡとＣで示した範囲の明るさが蛍光灯４ａ４ｂから導光板６を介して光が出てくる符号Ｂで示した範囲の明るさよりも明るい。したがって、この蛍光灯４ａ、４ｂと導光板６の上に一様な大きな導光板を配置して面状光源を構成すると、蛍光灯４ａ、４ｂの真上が特に明るく導光板６の上が暗い面状光源になってしまう。
【００３９】
図２の光透過率抑制部３０は、この明るさのムラをなくし一様な明るさの面状光源を実現するために蛍光灯の真上近傍に設けられた特殊処理部分で、この光透過率抑制部３０によって蛍光灯から直接照射される部分の明るさを適宜弱めている。
【００４０】
この光透過率抑制部３０としては、たとえば、これに限られないが、上部導光板の下面の蛍光灯が配置される近傍に、ドットパターンなどの光拡散部を印刷、成型、レーザエッチングなどの技術を用いて光を適宜散乱させる層を形成したものを用いることができる。
【００４１】
図２の導光板２の裏面に光透過率抑制部３０を配置しない場合は、図３について説明したように、図２の導光板２の、図３の符号ＡとＣで示した部分に対応する部分が符号Ｂで示した部分に対応する部分よりもはっきりと明るくなって、明るさにムラのある面状光源になってしまうが、導光板２の蛍光灯４が配置される近傍に光透過率抑制部３０を配置したことによって、明るさにムラのない面状光源を得ることができる。
【００４２】
すなわち、１枚の導光板とその両側に配置される蛍光灯によって構成される面状光源（以下、単位面状光源ともいう）を、前記単位面状光源の導光板よりもはるかに広い面積を有する他の導光板の下に多数組並べて配置して大面積の面状光源を構成しても、前記大面積面状光源として各単位面状光源の境界部分の蛍光灯による明るさのムラがほとんどない状態にすることができる。しかも、各単位面状光源の輝度を大きくすることができるので、高輝度で任意の大きさの大面積面状光源を容易に実現することができる。
【００４３】
図４と図５は上部導光板２の裏側の蛍光灯近傍に設けられた光透過率抑制部３０の一例を説明する図で、図５は１つの光透過率抑制部３０を拡大して示した図である。この場合の光透過率抑制部３０はドット３０ａ〜３０ｃの如きドットパターンで構成されており、ドット３０ａ、３０ｂ、３０ｃの順にドット密度が低くなり、光透過率抑制の度合が小さくなっている。そして、たとえば図４の光透過率抑制部３０のドットの数が中央部が周辺部より多いというように、ドットの数の違いで示したように、導光板を照射する光源との位置関係に応じたグラデーション処理を施している。
【００４４】
図２の面状光源１の輝度を高める一つの方法として、導光板の質を高めることのみならず、蛍光灯を用いて説明した導光板を照射する光源の輝度を高めること、下部導光板５，６の寸法を小さくして各単位面状光源の輝度を高めること、導光板の光入射部の形状を工夫することなどがあげられる。
【００４５】
導光板を照射する光源としては、直線管状蛍光灯を例にとって本発明の実施の形態例を説明したが、本発明はこれに限定されるものではなく、好ましい光源として、通常用いられている蛍光灯の他に、たとえば、スリムライン、冷陰極などの棒状光源を用いることができ、発光ダイオードを用いることもできる。
【００４６】
このように構成した面状光源１は、高い輝度で明るさの均一な大面積の面状光源として用いることができ、さらに、図６に示すように上部導光板の上に光拡散板を配置して高輝度大面積面状光源として用いることができる。
【００４７】
図６は本発明の実施の形態としての面状光源を説明する断面図で、符号１１は面状光源、１２は光拡散板、２２は上部導光板、１４と１５は下部導光板、１３はたとえば蛍光灯などの導光板照射用光源である。図中面状光源１１のケースは省略してある。
【００４８】
図６において、上部導光板２２の下面の、導光板照射用光源１３に対向している部分の近傍には、図示していないが、光透過率抑制部を設けてある。
【００４９】
面状光源１１の各構成部分の詳細については前記の例に準ずるものである。
【００５０】
このような構成において、導光板照射用の光源１３として冷陰極管状光源を用いると、管状光源の太さを５ｍｍ直径程度にすることは容易であり、面状光源の厚味を１０〜１５ｍｍ位にすることは容易である。
【００５１】
そして、上記説明から明らかなことであるが、このような単位面状光源を必要に応じて任意の数を並列に配置して面状光源としての照明可能面積を任意に拡大しても、各単位面状光源部分およびそれらの境界部分（実際には前期単位面状光源部分と差がない）において十分に輝度ムラがなくなっているので、全体の輝度ムラがない状態で面状光源１１の面積を種々の仕様に合わせることができる。面状光源１１の照明面の輝度は、前記の如く要求される仕様に合わせて高めることができる。
【００５２】
導光板としては、透明な材質を用いることを基本とし、光透過率の高い樹脂やガラスなどが好ましい。
【００５３】
上部導光板の、下部導光板照射用光源の近傍に配置する光透過率抑制部は、反射層を利用することもできる。光透過率抑制部は、印刷、レーザ照射、成型加工、エッチング、機械加工など種々の方法で形成することができ、また、上部導光板とは別体に光透過率抑制部を作成しておき、上部導光板の下側面に装着することもできる。
【００５４】
図７は図６の上部導光板２２の下側面に形成された光透過率抑制部について説明する平面図で、符号３３ａと３３ｂは光透過率抑制部、２２ａと２２ｂは導光板２２の両側面である。
【００５５】
光透過率抑制部３３ａとその隣の３３ｂの中心間距離と光透過率抑制部３３ｂとその隣接する光透過率抑制部３３ｂの中心間距離はほぼ等しくなるように形成されており、光透過率抑制部３３ａの中心線とその隣接する導光板側面２２ａまたは２２ｂとの距離は光透過率抑制部３３ａと３３ｂの中心間距離の１／２になっている。
【００５６】
この各光透過率抑制部間の中心間距離と両端の光透過率抑制部と導光板側面の距離は、面状光源に要求される仕様によって任意に設定することができる。
【００５７】
そして、各光透過率抑制部３３ｂを同一の条件になるように形成し、各隣接する光透過率抑制部の中心間距離を等しくとることにより、導光板２２の下側に配置する当該各単位面状光源を同一仕様にすることができ、量産化を容易にし、面状光源１１の品質を揃えやすくできるとともに、面状光源１１の製造コストを安くすることができる。
【００５８】
図８〜図１０は導光板照射用光源から下部導光板に光を効果的に取り入れる例について説明する断面図である。
【００５９】
図８〜図１０において、符号５３，６３，７３は下部導光板照射用光源としての直線状冷陰極菅光源、５５，５６，６５，７５は下部導光板、５５ａ、５６ａ、６５ａ〜６５ｄ、７５ａ〜７５ｆはそれぞれ当該導光板の光入射面である。
【００６０】
図８の例では、導光板５５，５６光入射面５５ａ、５６ａを斜めに形成し、冷陰極線菅５３の上側における導光板５５と５６の間隔を狭くし、導光板の端面の光入射部の面積を大きくするとともに、冷陰極線菅５３から上方へ放射される光を導光板へ取り入れるようにしている。
【００６１】
図８において、図示しないが、下方に適宜反射体を配置して、下方へ逃げる光をも導光板に取り込むと、導光板の輝度を一層高めることができる。
【００６２】
図９と図１０は、下部導光板６５，７５の一部に冷陰極線菅光源６３，７３を挿入する穴をあけ、陰極線菅からの放射光をできるだけ多く導光板６５，７５に取り込むようにしたものである。
【００６３】
図９のように、導光板６５の開口部の端面６５ａ〜６５ｄを、菱形の上部を切り欠いた形状にし、導光板６５への入射光を水平方向から±４５度方向へ取り込んで導光板の輝度を高めるとともに導光板の輝度の均一性を良くできるようにすることができる。
【００６４】
なお、導光板６５の開口部を、端面６５ａ〜６５ｄのように±４５度にしたのに変えて、断面が円形状や楕円形状の一部の形状になるように形成して導光板の輝度の均一性を高めることもできる。
【００６５】
さらに、図１０に示したように、導光板７５の開口部の端面７５ａ〜７５ｆを導光板の水面線と±４５度の傾きをなすように形成し、開口部内での反射光及び下方への光の有効活用を図り、導光板の輝度を高めようとしたものである。
【００６６】
なお、光透過率抑制部としては、上部導光板である第１の導光板の裏面、すなわち冷陰極線管の如き導光板照射用光源を配置してある側の表面に形成したり、第１の導光板と導光板照射用光源との間に別に配置した、たとえば、フィルムや板状物体に形成したり、導光板照射用光源と一体に形成したり、導光板に設けた導光板照射用光源を入れる開口部の、たとえば入口に設けたり、上記各種の方法を適宜組み合わせて用いたり、種々の方法を用いて面状光源の明るさと輝度ムラを改善することができる。明るくて、輝度ムラのない、そして、必要に応じて大面積の面状光源を得るには、この光透過率抑制部の選択は重要な要素である。
【００６７】
本発明の面状光源と各種照明とを比較すると、以下のようになる。以下において、従来面状光源として用いられていた三例を比較例に用いた。
（１）            本発明による面状光源：８Ｗ（ワット）の冷陰極線菅を５本用いたもので、表面輝度が６０００ｃｄ（カンデラ）／ｍ２であった。
（２）  比較例１（室内照明）：２０Ｗの蛍光灯を５本用い、乳半カバーを付けたもので、表面輝度が２５００ｃｄ／ｍ２であった。このときの消費電力は１００Ｗである。
（３）比較例２（冷陰極エッジライト）：８Ｗの管状光源を４本用いたもので、表面輝度が７００ｃｄ／ｍ２であった。このときの消費電力は３２Ｗである。
（４）  比較例３（ＬＥＤエッジライト）：０．１Ｗで５ｍｍφのＬＥＤを２６６個用いた場合の表面輝度が２００ｃｄ／ｍ２であった。このときの消費電力は２６．６Ｗである。
【００６８】
以上、図１〜図１０を用いての実施の形態を用いて説明したが、本発明はこれらの形態に狭く限定されるものではなく、種々のバリエーションを可能とするものである。
【００６９】
【発明の効果】
以上のように、本発明の面状光源は、第１の導光板と、それに重ねて配置する第２の導光板および導光板照射用光源と、第１の導光板もしくは第１の導光板と導光板照射用光源の間に配置した光透過率抑制部とを有し、導光板照射用光源から直接第１の導光板を照射する光を光透過率抑制部によって適宜減衰させ、照明輝度の均一化を図るとともに、小さい照明光源はもちろん、輝度の高い広い照明面積を有する面状光源を容易に得ることができるようにしたものである。
【００７０】
本発明によれば、第１の導光板の下に配置する単位面状光源の数を多くしても輝度ムラを生じないので、輝度の高い広い面積の面状光源から小型の面状光源までの任意の仕様の面状光源を簡単につくることができる。そして、各単位面状光源として規格化したものを用いることができ、品質の安定化、量産化、コストダウンに大きな貢献をするものである。
【図面の簡単な説明】
【図１】本発明の面状光源の例を説明する斜視図である。
【図２】本発明の面状光源の例を説明する断面図である。
【図３】蛍光灯からの光が導光板に入射し出射する様子を説明する断面図である。
【図４】本発明の実施の形態例としての光透過率抑制部を説明する図である。
【図５】本発明の実施の形態例としての光透過率抑制部を説明する図である。
【図６】本発明の他の実施の形態例としての面状光源を説明する断面図である。
【図７】上部導光板裏面の光透過率抑制部を説明する平面図である。
【図８】導光板へ入射される光の取り入れ方の一例を説明する断面図である。
【図９】導光板へ入射される光の取り入れ方の他の例を説明する断面図である。
【図１０】導光板へ入射される光の取り入れ方の他の例を説明する断面図である。
【図１１】従来の面状光源を説明する斜視図である。
【図１２】従来の面状光源の一例の断面図である。
【図１３】従来の面状光源の他の例の断面図である。
【図１４】従来の面状光源を集積して構成した面状光源を説明する斜視図である。
【符号の説明】
１，１０１，１１０，１２１，１３１：面状光源
１０２：照明面
３，１０３，１１３，１２３，１３６：ケース
１０５，１１４：ケース下板
４，４ａ，４ｂ，１３，１０４，１１２，１３２ａ〜１３２ｃ：蛍光灯
８ａ〜８ｈ，９，１０，１０ａ，１０ｂ，１０７，１０８，１１６〜１１８，１３７ａ，１３７ｂ，１３８ａ〜１３８ｄ：矢印
５３，６３，７３：冷陰極線菅
１２５〜１２８：接続部分
３０，３０ａ〜３０ｃ，３３ａ，３３ｂ：光透過率抑制部
２，５，６，１２，１４，１５，２２，５５，５６，６５，７５：導光板
５５ａ，５６ａ，６５ａ〜６５ｄ，７５ａ〜７５ｆ：導光板の光入射面
【図１】
2004152720.tif 000003
【図２】
2004152720.tif 000004
【図３】
2004152720.tif 000005
【図４】
2004152720.tif 000006
【図５】
2004152720.tif 000007
【図６】
2004152720.tif 000008
【図７】
2004152720.tif 000009
【図８】
2004152720.tif 000010
【図９】
2004152720.tif 000011
【図１０】
2004152720.tif 000012
【図１１】
2004152720.tif 000013
【図１２】
2004152720.tif 000014
【図１３】
2004152720.tif 000015
【図１４】
2004152720.tif 000016